(57)【要約】【課題】  従来は、記録媒体数が多いためシステム規模が大きく、記録媒体からのコンテンツデータの削除に関して考慮されておらず、データ管理に不便が生じる可能性がある。また、複数のディジタル信号受信機間で不整合を起こす可能性がある。【解決手段】  録画装置１００と携帯端末２００間で、メモリカード１２０によりコンテンツの共有化が図られ、録画装置１００と携帯端末２００のうち、どちらの装置からでも前回の停止位置からの続き再生を簡単に行える。録画装置１００では視聴に関する２つの付帯情報がコンテンツデータと共に大容量の一つのＨＤＤ１１０に記憶されているため、記憶媒体数を従来に比べて少なくでき、システムの大規模化を防止できる。また、携帯端末２００によりメモリカード１２０中の任意のコンテンツの削除を行ったときでも、メモリカード用管理情報の削除は行われず、データ管理の整合性を確保することができる。【選択図】            図１
2005244267.tif 000002
【特許請求の範囲】
【請求項１】
着脱自在の可搬型記録媒体に対して所望のコンテンツのディジタルデータを記録し、記録した前記ディジタルデータを再生する第１の記録再生装置と、前記可搬型記録媒体が着脱自在の構成とされ、装着された前記可搬型記録媒体に記録されている前記ディジタルデータを再生する第２の記録再生装置との間で前記ディジタルデータを共有化し、前記第１及び第２の記録再生装置の一方が前記可搬型記録媒体のディジタルデータ記録区間の途中で再生停止した位置から他方の記録再生装置が続けて再生可能なディジタルデータ記録再生システムであって、
前記第１の記録再生装置は、
入力された一又は二以上の前記所望のコンテンツのディジタルデータを、互いに圧縮率の異なる第１及び第２の符号化方式で符号化して第１及び第２の符号化信号を別々に生成する符号化手段と、
前記第１及び第２の符号化信号のそれぞれについて、記録と再生に関する情報と管理情報とを含む第１及び第２の付帯情報を生成する付帯情報生成手段と、
前記第１及び第２符号化信号と前記第１及び第２の付帯情報を対応付けて蓄積する記憶手段と、
前記第１の符号化信号を復号化する第１の復号化手段と、
前記記憶手段に蓄積されている前記第２の符号化信号と前記第２の付帯情報とを、対応付けて前記可搬型記録媒体に記録する記録手段と、
装着された前記可搬型記録媒体に記録された前記第２の付帯情報と前記記憶手段に蓄積されている前記第２の付帯情報とを比較し、前記可搬型記録媒体に記録された前記第２の付帯情報に前記記憶手段に蓄積されている前記第２の付帯情報が一致するように、前記記憶手段に蓄積されている前記第２の付帯情報と前記第１の付帯情報中の対応する情報とをそれぞれ更新する第１の更新手段と、
前記第１の更新手段により更新された前記第１の付帯情報中の再生停止位置を再生開始位置としてその再生開始位置から任意の再生停止位置まで、前記記憶手段に蓄積された前記第１の符号化信号の再生を行い、前記第１の復号化手段により復号化させると共に、前記記憶手段に蓄積されている前記第１及び第２の付帯情報を前記任意の再生停止位置の情報で更新する第１の再生手段とを有し、
前記第２の記録再生装置は、
装着された前記可搬型記録媒体に記録されている前記第２の符号化信号及び第２の付帯情報を再生する第２の再生手段と、
再生された前記第２の符号化信号を復号化して前記所望のコンテンツのディジタルデータを出力する第２の復号化手段と、
前記第２の再生手段により再生された前記第２の付帯情報中の再生停止位置を再生開始位置としてその再生開始位置から任意の再生停止位置まで、前記可搬型記録媒体に記録されている前記第２の符号化信号の再生を行い、前記第２の復号化手段により復号化させる第３の再生手段と
前記第３の再生手段による前記可搬型記録媒体の任意の再生停止位置に関する情報に基づき、前記可搬型記録媒体に記録されている前記第２の付帯情報を更新する第２の更新手段と、
を有することを特徴とするディジタルデータ記録再生システム。
【請求項２】
前記第２の記録再生装置は、装着された前記可搬型記録媒体の所望のコンテンツのディジタルデータを削除するときは、前記可搬型記録媒体に記録されている前記第２の付帯情報を削除せずに残し、その削除したコンテンツに関する削除情報に基づき、前記第２の更新手段により前記第２の付帯情報を更新させる削除手段を更に有し、
前記第１の記録再生装置は、前記記憶手段に蓄積されている前記第２の付帯情報を、装着された前記可搬型記録媒体に記録された前記第２の付帯情報から複製し、複製後の前記削除情報を含む前記第２の付帯情報を、前記可搬型記録媒体から削除する第３の更新手段と、装着された前記可搬型記録媒体に前記第２の符号化信号及び第２の付帯情報が記録されていないときには、前記記憶手段に蓄積されている前記第２の付帯情報のすべてを初期化する初期化手段とを有することを特徴とする請求項１記載のディジタルデータ記録再生システム。
【発明の詳細な説明】
【技術分野】
【０００１】
本発明はディジタルデータ記録再生システムに係り、特に放送信号や外部入力信号をディジタルデータとして記録し再生する記録再生装置と、そのディジタルデータを再生可能な携帯端末などもう一方の記録再生装置との間でディジタルデータを共有し、利用するためのディジタルデータ記録再生システムに関する。
【背景技術】
【０００２】
従来のＶＨＳ（登録商標）に代表されるような、アナログの記録媒体である磁気テープに対して映像信号をアナログ記録し再生する磁気記録再生装置から、ハードディスク（ＨＤＤ）や多用途光ディスク（ＤＶＤ）などのランダムアクセス可能なディスク状記録媒体へ映像信号などをディジタルデータとして記録し再生するディジタルデータ記録再生システムが今後益々多くなると、コンテンツの編集やコピーの簡便化、視聴スタイルの変化などが起こり、コンテンツの利用形態が広範囲にわたってくる。
【０００３】
例えば、メモリカードの大容量化と、ＭＰＥＧ−４（Moving Picture Experts Group -４）などに代表される動画像圧縮符号化技術の発展などに伴い、従来は屋内での視聴が多かったオーディオ／ビジュアルコンテンツをディジタルデータとしてメモリカードに保存し、気軽に屋外でメモリカードを読み書き可能な携帯電話やＰＤＡ（Personal Digital Assistants）などの携帯端末で視聴できるようになっている。今後この様な視聴を可能とする状況がますます増え、個人が各々の方法でコンテンツを楽しむことが多くなっていくと予想される。
【０００４】
従って、例えば、放送信号や外部入力信号をディジタルデータとして記録再生可能な第１の記録再生装置と、ディジタルデータを再生可能な携帯端末などの第２の記録再生装置との間でディジタルデータを共有し、例えば家庭内では第１の記録再生装置を利用し、外出先や屋外などでは携帯端末などの第２の記録再生装置を利用して同じコンテンツを楽しむ用途も実現可能となる。また、ディジタル信号受信装置と移動端末とで記録番組付加情報を共有し、各々から使用できるディジタル信号受信システムが従来より提案されている（例えば、特許文献１参照）。
【０００５】
この従来のディジタル信号受信システムは、ディジタル信号受信装置が第１のレートを有する第１のディジタル信号を第１の記録媒体に記録する記録手段と、第１のディジタル信号を第１のレートよりも低い第２のレートを有する第２のディジタル信号に変換する変換手段と、第２のディジタル信号を第２の記録媒体に記録する第２の記録手段と、ユーザの操作に応じて第１及び第２のディジタル信号の視聴に関する付加情報を生成する付加情報生成手段と、上記の付加情報を第３の記録媒体に記録する付加情報記録手段と、ユーザの操作に応じて第３の記録媒体に記録されている視聴に関する付加情報を更新する更新手段と、ユーザの操作に応じて第２のディジタル信号及び付加情報を移動端末へ出力する出力手段を有する。
【０００６】
一方、移動端末は、入力された上記の第２のディジタル信号を第４の記録媒体に記録する第３の記録手段と、入力された上記の付加情報を第５の記録媒体に記録する第４の記録手段と、第４の記録媒体から第２のディジタル信号を再生する再生手段と、ユーザの操作に応じて第５の記録媒体に記録されている視聴に関する付加情報を更新する付加情報更新手段と、上記の更新された付加情報をディジタル信号受信装置へ出力する出力手段とを有する。
【０００７】
この特許文献１記載のディジタル信号受信システムによれば、同一コンテンツを複数の圧縮方式で圧縮して予め記録しておくことができ、必要なときに必要な圧縮方式のディジタル信号を視聴することができる。
【０００８】
【特許文献１】特開２００３−２２４８４４号公報
【発明の開示】
【発明が解決しようとする課題】
【０００９】
しかるに、特許文献１記載の従来のディジタル信号受信システムでは、視聴に関する付加情報が、ディジタル信号が記録される記録媒体とは別の記録媒体に記録されるため、記録媒体数が多く、システム規模が大きくなってしまう。
【００１０】
また、上記の従来のディジタル信号受信システムでは、記録媒体からのコンテンツデータの削除に関して考慮されておらず、データ管理に不便が生じる可能性がある。例えば、ＰＤＡなどではメモリカードは様々な用途で使用されるため、任意のタイミングでメモリカードに出力されたコンテンツを削除し空き容量を増やしたい場合がある。そのような場合には、記録コンテンツが削除されたメモリカードでも録画装置で付加情報の同期をとる必要がある。
【００１１】
また、上記の従来のディジタル信号受信システムでは、複数のディジタル信号受信機間での使用や複数の外部出力先がある場合について考慮されておらず、システム間で不整合を起こす可能性がある。更に、上記の従来のディジタル信号受信システムでは、低レートの第２のディジタル信号のみを出力するようになっているが、移動体端末（携帯端末）に入力される第２のディジタル信号のレートを低い方のレートに限定する必要はなく、出力先の能力や出力先が必要とする情報量に適しているレートを出力した方が有用である。
【００１２】
本発明は以上の点に鑑みなされたもので、従来に比べて少ない数の記録媒体を使用して、放送信号や外部入力信号をディジタルデータとして記録する第１の記録再生装置と、そのディジタルデータを実現可能な携帯端末などの第２の記録再生装置において、両装置間でディジタルデータを共有したディジタルデータ記録再生システムを提供することを目的とする。
【００１３】
また、本発明の他の目的は、記録媒体からディジタルデータを削除した場合でも、第１の記録再生装置と携帯端末などの第２の記録再生装置との間のデータ管理の整合性を確保し得るディジタルデータ記録再生システムを提供することにある。
【００１４】
更に、本発明の他の目的は、メモリカードなどの記録媒体からデータの再生を行う携帯端末などの記録再生装置が混在した環境においてもシステムの整合性を維持し得るディジタルデータ記録再生システムを提供することにある。
【００１５】
また更に、本発明の他の目的は、携帯端末などの記録再生装置に対して伝送するディジタルデータのレートを任意に設定可能なディジタルデータ記録再生システムを提供することにある。
【課題を解決するための手段】
【００１６】
上記の目的を達成するため、第１の発明のディジタルデータ記録再生システムは、着脱自在の可搬型記録媒体に対して所望のコンテンツのディジタルデータを記録し、記録したディジタルデータを再生する第１の記録再生装置と、可搬型記録媒体が着脱自在の構成とされ、装着された可搬型記録媒体に記録されているディジタルデータを再生する第２の記録再生装置との間でディジタルデータを共有化し、第１及び第２の記録再生装置の一方が可搬型記録媒体のディジタルデータ記録区間の途中で再生停止した位置から他方の記録再生装置が続けて再生可能なディジタルデータ記録再生システムであって、
第１の記録再生装置は、入力された一又は二以上の所望のコンテンツのディジタルデータを、互いに圧縮率の異なる第１及び第２の符号化方式で符号化して第１及び第２の符号化信号を別々に生成する符号化手段と、第１及び第２の符号化信号のそれぞれについて、記録と再生に関する情報と管理情報とを含む第１及び第２の付帯情報を生成する付帯情報生成手段と、第１及び第２符号化信号と第１及び第２の付帯情報を対応付けて蓄積する記憶手段と、第１の符号化信号を復号化する第１の復号化手段と、記憶手段に蓄積されている第２の符号化信号と第２の付帯情報とを、対応付けて可搬型記録媒体に記録する記録手段と、装着された可搬型記録媒体に記録された第２の付帯情報と記憶手段に蓄積されている第２の付帯情報とを比較し、可搬型記録媒体に記録された第２の付帯情報と記憶手段に蓄積されている第２の付帯情報が一致するように、記憶手段に蓄積されている第２の付帯情報と第１の付帯情報中の対応する情報とをそれぞれ更新する第１の更新手段と、第１の更新手段により更新された第１の付帯情報中の再生停止位置を再生開始位置としてその再生開始位置から任意の再生停止位置まで、記憶手段に蓄積された第１の符号化信号の再生を行い、第１の復号化手段により復号化させると共に、記憶手段に蓄積されている第１及び第２の付帯情報を上記の任意の再生停止位置の情報で更新する第１の再生手段とを有する。
【００１７】
また、上記の第２の記録再生装置は、装着された可搬型記録媒体に記録されている第２の符号化信号及び第２の付帯情報を再生する第２の再生手段と、再生された第２の符号化信号を復号化して所望のコンテンツのディジタルデータを出力する第２の復号化手段と、第２の再生手段により再生された第２の付帯情報中の再生停止位置を再生開始位置としてその再生開始位置から任意の再生停止位置まで、可搬型記録媒体に記録されている第２の符号化信号の再生を行い、第２の復号化手段により復号化させる第３の再生手段と、第３の再生手段による可搬型記録媒体の任意の再生停止位置に関する情報に基づき、可搬型記録媒体に記録されている第２の付帯情報を更新する第２の更新手段とを有する。
【００１８】
この発明では、第１の記録再生装置で同じコンテンツに関するディジタルデータを第１及び第２の符号化信号に符号化し、対応する第１及び第２の付帯情報と共に記憶手段に記憶すると共に、第１の符号化信号を復号化して所望の再生停止位置まで再生したときには、第２の符号化信号と共に可搬型記録媒体に記録する第２の付帯情報にその所望の再生停止位置情報を含めて記録するようにしたため、第２の記録再生装置では、上記の可搬型記録媒体の装着時にその第２の付帯情報を再生して得られた再生停止位置から再生を開始し、任意の再生停止位置まで再生することができる。
【００１９】
また、この発明では、第２の記録再生装置で可搬型記録媒体に記録されているコンテンツを所望の再生停止位置まで再生したときには、可搬型記録媒体に記録されている第２の付帯情報の再生停止位置情報が更新記録されるため、第１の記録再生装置では、上記の可搬型記録媒体の装着時にその第２の付帯情報を再生して得られた再生停止位置から上記と同じコンテンツの再生を開始し、任意の再生停止位置まで再生することができる。
【００２０】
また、上記の目的を達成するため、第２の発明のディジタルデータ記録再生システムは、第１の発明における第２の記録再生装置を、装着された可搬型記録媒体の所望のコンテンツのディジタルデータを削除するときは、可搬型記録媒体に記録されている第２の付帯情報を削除せずに残し、その削除したコンテンツに関する削除情報に基づき、第２の更新手段により第２の付帯情報を更新させる削除手段を更に有する構成とし、第１の記録再生装置を、記憶手段に蓄積されている第２の付帯情報を、装着された可搬型記録媒体に記録された第２の付帯情報から複製し、複製後の削除情報を含む第２の付帯情報を、可搬型記録媒体から削除する第３の更新手段と、装着された可搬型記録媒体に第２の符号化信号及び第２の付帯情報が記録されていないときには、記憶手段に蓄積されている第２の付帯情報のすべてを初期化する初期化手段とを有する構成としたことを特徴とする。
【００２１】
この発明では、第１の記録再生装置は、装着された可搬型記録媒体に記録された第２の付帯情報が削除情報を含むときは、記憶手段から第２の付帯情報のうち削除情報を含む第２の付帯情報を削除し、装着された可搬型記録媒体に第２の符号化信号及び第２の付帯情報が記録されていないときには、記憶手段に蓄積されている第２の付帯情報のすべてを初期化するようにしたため、可搬型記録媒体に記録されている第２の符号化信号と第１の記録再生装置内の記憶手段に記憶されている第２の符号化信号とを、削除時においても対応させることができる。
【発明の効果】
【００２２】
本発明によれば、第１の記録再生装置と第２の記録再生装置間で、コンテンツの共有化が図られ、第１及び第２の記録再生装置での第２の付帯情報の同期により、どちらの記録再生装置からでも前回の停止位置からの続き再生を簡単に行えると共に、第１の記録再生装置では視聴に関する付加情報に相当する２つの付帯情報がコンテンツデータと共に同じ大容量の一つの記憶手段に記憶されているため、記憶媒体数を従来に比べて少なくでき、システムの大規模化を防止できる。
【００２３】
また、本発明によれば、第２の記録再生装置により可搬型記録媒体中の任意のコンテンツの削除を行ったときでも、可搬型記録媒体に記録されている第２の付帯情報の削除は行われず、第１の記録再生装置に可搬型記録媒体を装着したときに、可搬型記録媒体に記録されている第２の付帯情報と同じになるように第１の記憶手段に記憶されている第２の付帯情報が更新されるため、データ管理の整合性を確保することができる。
【００２４】
更に、本発明によれば、コンテンツの管理情報として、ディジタルデータを記憶手段に記録した第１の記録再生装置と、そのディジタルデータを複製した先の可搬型記録媒体を特定する第２の付帯情報が、可搬型記録媒体に記録されているため、可搬型記録媒体を再生する複数の第２の記録再生装置や同じ種類の複数の第１の記録再生装置が混在した環境下においても、第２の付帯情報を参照することで整合性を保つことができる。
【００２５】
また更に、本発明によれば、第１及び第２の符号化信号のうち、製品の使用に合わせた復号化手段を選ぶことにより、レートの高低に左右されず、予め定めた一方の符号化信号を可搬型記録媒体に記録することができる。
【発明を実施するための最良の形態】
【００２６】
次に、本発明を実施するための最良の形態について図面と共に説明する。本発明になるディジタルデータ記録再生システムは、ディジタルデータの記録・再生を行う記録再生装置（以下、録画装置ともいう）と、ディジタルデータの再生又は記録・再生を行う装置（例えば、携帯端末）との間で、記録再生装置に記録されたコンテンツデータと携帯端末などの装置に入力されたコンテンツデータとを、連続的に再生するディジタルデータ記録再生システムであり、上記の記録再生装置（録画装置）は例えば図１のブロック図に示す構成とされており、また、上記の装置である携帯端末は例えば図２のブロック図に示す構成とされている。
【００２７】
まず、本発明になるディジタルデータ記録再生システムを構成する録画装置の一実施の形態について、図１のブロック図と共に説明する。録画装置１００は、放送信号を受信するチューナ１０１と、チューナ１０１又は外部入力からの信号を公知の圧縮符号化方式であるＭＰＥＧ−２方式に基づき符号化するＭＰＥＧ−２エンコーダ１０２と、チューナ１０１又は外部入力からの信号を公知の圧縮符号化方式であるＭＰＥＧ−４方式に基づき符号化するＭＰＥＧ−４エンコーダ１０３と、ＭＰＥＧ−２方式で符号化されたデータを復号化するＭＰＥＧ−２デコーダ１０４と、この録画装置１００の演算処理を行う中央処理装置（ＣＰＵ：Central Processing Unit）１０５と、ＣＰＵ１０５で実行されるプログラムなどを格納するリード・オンリ・メモリ（ＲＯＭ）１０６と、ＣＰＵ１０５が演算処理に使用するランダム・アクセス・メモリ（ＲＡＭ）１０７とを有し、チューナ１０１以外の各ブロックは双方向のホストバス１１６に接続されている。
【００２８】
更に、録画装置１００は、デコードされた信号やＧＵＩ（Graphical User Interface）等をモニターに出力する映像音声再生処理ブロック１０８と、持ち運び可能でリムーバブルなメモリカード１２０に記録、読み出しを行うカードコントローラ１０９と、符号化された信号や付帯情報、その他ディジタルデータの記録と読み出しを行うＨＤＤ（Hard Disc Drive）１１０と、イーサネット（登録商標）とのインタフェース部であるＮＩＣ（Network Interface Card）１１１と、時刻を計時している時計部１１２と、各種の入力を行う入力装置１１３と、リモートコントロール装置であるリモコン１２１から送信された赤外線のリモコン信号を受光するリモコン受光部１１４と、リモコン信号又は入力データを処理する操作入力処理部１１５とを有する。上記の映像音声再生処理ブロック１０８、カードコントローラ１０９、ＨＤＤ１１０、ＮＩＣ１１１、時計部１１２及び操作入力処理部１１５も上記のホストバス１１６に接続されている。
【００２９】
次に、この録画装置１００の動作について説明する。チューナ１０１で選局受信された所望のチャネルのコンテンツの放送信号又は外部入力からの所望のコンテンツの映像信号は、ＭＰＥＧ−２エンコーダ１０２により比較的大容量で高解像度の映像の符号化信号とされ、又はＭＰＥＧ−４エンコーダ１０３で比較的容量が少なく低解像度の映像の符号化信号とされてＨＤＤ１１０へ記録される。ＨＤＤ１１０に記録された各コンテンツには録画装置用管理情報という付帯情報が作成される。
【００３０】
図３は上記のＨＤＤ１１０のメモリマップを示す。同図に示すように、ＨＤＤ１１０には、ＭＰＥＧ−２で符号化されたコンテンツデータ３０２，３０５，３０８と、ＭＰＥＧ−４で符号化されたコンテンツデータ３０３，３０６，３０９と、それぞれのコンテンツ毎にそのコンテンツに関する録画装置用管理情報３０１，３０４，３０７との組が記憶されている。
【００３１】
すなわち、ＨＤＤ１１０には、ｎ個のコンテンツの各データが、そのコンテンツの録画装置用管理情報と、ＭＰＥＧ−２で符号化された第１の符号化信号（第１のディジタルデータ）と、ＭＰＥＧ−４で符号化された第２の符号化信号（第２のディジタルデータ）とが対応付けられた状態とされて記憶されている。
【００３２】
上記の録画装置用管理情報３０１，３０４，３０７の構成はそれぞれ同様であり、例えば図４に示す如き構成とされている。同図において、コンテンツ＿Ｘ（Ｘは１〜ｎの中の任意の数字）の録画装置用管理情報４００（Ｘが１のとき上記の３０１、Ｘが２のとき上記の３０４、Ｘがｎのとき上記の３０７）は、録画装置用管理情報を管理するための管理番号４０１と、ＨＤＤ１１０に録画された録画日時４０２と、コンテンツの録画時間を示す録画時間４０３と、録画した際の録画装置１００の録画モードを表す値４０４と、ＥＰＧ等で録画の際に取得した番組名４０５と、コンテンツが録画装置１００で再生が可能かどうかを示す状態４０６と、コンテンツの最終視聴位置を記録している停止位置４０７と、その最終視聴位置を記録した日時である最終視聴日時４０８と、ＨＤＤ１１０内のＭＰＥＧ−２符号化されたコンテンツを管理するためのＭＰＥＧ−２管理情報４０９とが対応付けて記録されている。これらの情報４０２〜４０９は、管理番号４０１毎に本体のコンテンツデータ３０２、３０３等と組になるように記録される。
【００３３】
また、後述する複製時にメモリカード１２０にコンテンツを複製した日時を示す複製日時４１０と、コンテンツを複製した複製先を特定する複製先４１１と、メモリカード２０１へコンテンツを複製する際に使用するＭＰＥＧ−４管理情報４１２と、しおり４１８とが対応付けて記録されている。また、上記のＭＰＥＧ−４管理情報４１２は、複製が可能であるか不可であるかを示す状態情報４１３と、メモリカード内コンテンツの最終視聴位置を記録している最終視聴位置４１４と、最終視聴位置４１４を作成した日時である最終視聴日時４１５と、メモリカード内からそのコンテンツが削除されたか否かを記録するＥＲＡＳＥ４１６と、そのコンテンツの視聴状態を表すＣＯＮＤＩＴＯＮ４１７とからなる。
【００３４】
更に、上記のしおり４１８はユーザが任意に付加するコンテンツの位置情報で複数個あり、例えば、サッカーの複数のシュートシーンだけを見たい場合にすぐに再生するべき場所が特定できるよう、ユーザの操作により付加される。
【００３５】
ＨＤＤ１１０に記録されたＭＰＥＧ−２で符号化された符号化信号は、ＭＰＥＧ−２デコーダ１０４により復号化された後、映像音声再生処理ブロック１０８で再生処理されて図示しないモニタ及びスピーカによりそれぞれ画像表示及び音声出力される。一方、ＨＤＤ１１０に記録されたＭＰＥＧ−４で符号化された符号化信号は、複製可能なコンテンツに関する符号化信号であるときにはメモリカード１２０へ複製される。
【００３６】
複製はユーザが入力装置１１３の複製用ボタンを操作するか、ユーザがリモコン１２１を操作して複製を指示する。この複製指示信号は、操作入力処理部１１５で処理されてホストバス１１６を介してＣＰＵ１０５へ供給される。また、予め複製を行いたい時刻を入力装置１１３又はリモコン１２１を操作することで、操作入力処理部１１５及びホストバス１１６を通してＣＰＵ１０５に供給し、ＣＰＵ１０５によりその時刻をＲＡＭ１０７に予約時間として保存させる。
【００３７】
ＣＰＵ１０５は複製指示信号の入力により、あるいは時計部１１２から供給される時刻信号がＲＡＭ１０７に記憶されている予約時間と一致した時に、ＲＯＭ１０６に記憶されている複製のプログラムを実行する。なお、イーサネット（登録商標）を通じて複製を指示するパケットデータを受信したときにも、ＣＰＵ１０５が複製のプログラムを実行して複製を行う。
【００３８】
上記の複製プログラムの実行により、録画装置１００内のＨＤＤ１１０からＭＰＥＧ−４で符号化された符号化信号が読み出されて、カードコントローラ１０９を介してメモリカード１２０に記録される。例えば、例えば複製するコンテンツとして、コンテンツ＿１を選択した場合には、ＨＤＤ１１０に記憶されている図３に３０３で示すＭＰＥＧ−４コンテンツ＿１の符号化信号が、カードコントローラ１０９により図５に５０２で示すＭＰＥＧ−４コンテンツ＿１としてメモリカード１２０に複製記録され、また録画装置用管理情報３０１の一部がメモリカード用管埋情報５０１としてメモリカード１２０に作成される。
【００３９】
図５はメモリカード１２０のメモリマップの一部を示す。同図に示すように、メモリカード１２０には、管理情報とコンテンツデータとの組がＮ組記録されており、その１組目はＭＰＥＧ−４で符号化されたコンテンツ＿１のデータ５０２と、そのコンテンツ＿１に関するメモリカード用管理情報５０１であり、そのＮ組目はＭＰＥＧ−４で符号化されたコンテンツ＿Ｎのデータ５０４と、そのコンテンツ＿Ｎに関するメモリカード用管理情報５０３である。
【００４０】
上記のメモリカード用管理情報５０１、５０３は同様の構成である。図６はこのメモリカード用管理情報の一例の詳細構成図を示す。同図に示すように、メモリカード用管理情報６００には、メモリカード管理情報を管理するための管埋番号６０１と、複製されるコンテンツがＨＤＤ１１０に録画された録画日時６０２と、コンテンツの録画時間を示す録画時間６０３と、番組名６０４と、メモリカード１２０へ複製された日時を示す複製日時６０５と、複製されたコンテンツが録画された装置を表す録画装置６０６とが、対応付けて記録されている。
【００４１】
また、メモリカード用管理情報６００には、メモリカード内コンテンツの最終視聴位置を記録している視聴位置６０７と、その視聴位置６０７を記録した日時を示す最終視聴日時６０８と、メモリカード１２０からそのコンテンツが削除されたか否かを示すＥＲＡＳＥ６０９と、視聴状態を示すＣＯＮＤＩＴＩＯＮ６１０と、ユーザがそのコンテンツの任意の場面を特定するために記録するしおり６１１とが対応付けて記録されている。
【００４２】
他方、録画装置１００からメモリカード１２０へコンテンツデータが複製される際には、録画装置１００内のＨＤＤ１１０に対して、図４に示した録画装置用管理情報４００のＭＰＥＧ−２管理情報４０９の停止位置４０７と最終視聴日時４０８が、それぞれＭＰＥＧ−４管理情報４１２の停止位置４１４と最終視聴日時４１５へ複製される。
【００４３】
そして、録画日時４０２、録画時間４０３、番組名４０５、複製日時４１０、録画装置用管理情報の停止位置４１４、最終視聴日時４１５、ＥＲＡＳＥ４１６、ＣＯＮＤＩＴＩＯＮ４１７、しおり４１８が、それぞれ図６に示した同じ項目名のメモリカード用管理情報へ複製される。また、メモリカード用管理情報の録画装置６０６には、そのコンテンツデータをメモリカード１２０に録画した録画装置を特定するデータが記録される。
【００４４】
このように、録画装置１００により任意のコンテンツデータが複製記録されたメモリカードは、携帯端末２００に装填され、その記録コンテンツデータが再生される。そこで、次に、本発明になるディジタルデータ記録再生システムを構成する携帯端末の一実施の形態について、図２のブロック図と共に説明する。
【００４５】
図２に示す携帯端末２００は、メモリカード１２０に記録されたデータを読み出し可能な再生装置であり、屋外でのデータ閲覧を主としているために小型軽量である。この携帯端末２００は、演算処理を行う中央処理装置（ＣＰＵ：Central Processing Unit）２０１と、ＣＰＵ２０１で実行されるプログラムなどを格納するリード・オンリ・メモリ（ＲＯＭ）２０２と、ＣＰＵ２０１が演算処理に使用するランダム・アクセス・メモリ（ＲＡＭ）２０２とを有し、これらは双方向のホストバス２１２に接続されている。
【００４６】
また、携帯端末２００は、デコードされた信号やＧＵＩ（Graphical User Interface）等をモニターに出力する映像音声再生処理ブロック２０４と、持ち運び可能でリムーバブルなメモリカード１２０からの読み出しを行うカードコントローラ２０５と、ＭＰＥＧ−４で符号化された符号化信号を復号化するＭＰＥＧ−４デコーダ２０６と、復号したデータなどを表示する液晶表示部２０７と、イーサネット（登録商標）とのインタフェース部であるＮＩＣ（Network Interface Card）２０８とを有し、これらも互いにホストバス２１２に接続されている。更に、携帯端末２００は、各種の入力を行う入力装置２０９と、リモートコントロール装置であるリモコン２２０から送信された赤外線のリモコン信号を受光するリモコン受光部２１０と、リモコン信号又は入力データを処理する操作入力処理部２１１とを有する。
【００４７】
次に、この携帯端末２００の動作について説明する。ユーザが入力装置２０９の再生用ボタンを操作するか、ユーザがリモコン２２０を操作して再生を指示する。この再生指示信号は、操作入力処理部２１１で処理されてホストバス２１２を介してＣＰＵ２０１へ供給される。ＣＰＵ２０１は再生指示信号の入力により、また、イーサネット（登録商標）を通じて再生を指示するパケットデータを受信したときにも、ＲＯＭ２０２に記憶されている再生のプログラムを実行する。
【００４８】
上記の再生プログラムの実行により、携帯端末２００に装填されているメモリカード１２０に対しカードコントローラ２０５がメモリカード用管理情報６００（５０１、５０３）を参照し、メモリカード１２０内のコンテンツ数を把握し、情報を順次読み出し、その読み出し結果を液晶表示部２０７の画面へ表示する。
【００４９】
ユーザは入力装置２０９又はリモコン２２０を操作し、液晶表示部２０７に表示されたコンテンツ内容から好きなコンテンツを選択し視聴を開始する。視聴開始により、カードコントローラ２０５は選択されたコンテンツのＭＰＥＧ−４で符号化されたコンテンツデータ（符号化信号）をメモリカード１２０から読み出し、ホストバス２１２を介してＭＰＥＧ−４デコーダ２０６に供給して復号化させる。ＭＰＥＧ−４デコーダ２０６で復号されたコンテンツデータは、映像音声再生処理ブロック２０４で再生処理された後、モニター（図示せず）に供給されてその画像が表示されると共に、スピーカ（図示せず）に供給されてその音声が発音される。
【００５０】
ここで、液晶表示部２０７には、メモリカード用管理情報６００のＣＯＮＤＩＴＩＯＮ６１０に記載されている状態（視聴済み、未視聴、視聴途中）に合わせたアイコンが表示される。もし、ユーザが携帯端末２００上での動画閲覧をコンテンツの途中で停止した場合、ＣＰＵ２０１は停止した位置をメモリカード用管理情報６００の停止位置６０７へ記録し、ＣＯＮＤＩＴＩＯＮ６１０を”視聴途中”と記録する。携帯端末２００での視聴が完了した場合は、ＣＯＮＤＩＴＩＯＮ６１０を”視聴済み”と記録する。また、前記のようにコンテンツ内の任意の場所を特定可能なしおり６１１を付加することができる。
【００５１】
次に、携帯端末２００での視聴を一旦終え、録画装置１００で視聴を再開しようとした場合の動作について説明する。この場合、それまで携帯端末２００に挿入していたメモリカード１２０を録画装置１００へ挿入する。メモリカード１２０を挿入された録画装置１００は、カードコントローラ１０９により図６に示したメモリカード１２０のメモリカード用管理情報６００を読み出す。
【００５２】
これにより読み出されたメモリカード用管理情報６００の中の停止位置６０７、最終視聴日時６０８、ＥＲＡＳＥ６０９、ＣＯＮＤＩＴＩＯＮ６１０、しおり６１１のデータは、ＨＤＤ１１０内の録画装置用管理情報４００の停止位置４１４、最終視聴日時４１５、ＥＲＡＳＥ４１６、ＣＯＮＤＩＴＩＯＮ４１７、しおり４１８の同項目名へとそれぞれ複製される。ただし、メモリカード用管理情報６００内の録画装置６０６の項目が、読み出している録画装置１００と異なる場合には、録画装置１００内に複製元となる該当コンテンツが無いため複製は行われない。
【００５３】
また、複製先と録画装置が合致したコンテンツにおいては、録画装置用管理情報４００の状態４０６の項が”再生不可”となっているコンテンツは”再生可”とし、そのコンテンツが選択された際に再生可能となるようにする。ただし、コンテンツ情報内の録画装置６０６の項目が、読み出している録画装置１００と異なる場合には、録画装置１００内に複製元となる該当コンテンツが無いため、状態４０６の項を”再生可”には設定しない。
【００５４】
また、ＣＰＵ１０５は、ＨＤＤ１１０に記憶されているＭＰＥＧ−４管理情報４１２とＭＰＥＧ−２管理情報４０９とを比較し、最終視聴日時が新しい方の停止位置を最新の停止情報として、最終視聴日時が古い方の管理情報を最新の停止位置に更新する。この場合、ＭＰＥＧ−４管理情報４１２の方がＭＰＥＧ−２管理情報４０９よりも古い場合には、挿入されているメモリカード１２０内のメモリカード用管理情報６００の停止位置６０７と最終視聴日時６０８もＣＰＵ１０５により更新する。このＭＰＥＧ−２管理情報４０９とＭＰＥＧ−４管理情報４１２の比較・更新はメモリカード１２０の録画装置１００への挿入時・排出時に行う。
【００５５】
そして、ユーザの入力装置１１３又はリモコン１２１を使用した操作により、録画装置１００に接続されているモニターにその内容を一覧表示する。視聴途中のコンテンツには、視聴途中を表すアイコンを表示する。ユーザが視聴途中のコンテンツを選択し、前回停止した位置からの視聴を指定した場合には、ＣＰＵ１０５はＨＤＤ１１０に記憶されているＭＰＥＧ−２管理情報４０９の停止位置４０７を参照し、その停止位置から録画装置１００内のＨＤＤ１１０に保存されているＭＰＥＧ−２コンテンツデータを読み出して、ＭＰＥＧ−２デコーダ１０４により復号化させ、その復号化信号を出力させる再生を行う。このようにして、録画装置１００は携帯端末２００で視聴を停止した位置から続けて視聴を行うことができ、録画装置１００と携帯端末２００との間で同じコンテンツの連続的な再生ができる。
【００５６】
また、上記とは逆に録画装置１００で視聴途中のコンテンツは、その視聴停止位置が図６のメモリカード用管理情報６００の停止位置６０７に記録され、そのメモリカード１２０を携帯端末２００に装着したときに、携帯端末のＣＰＵ２０１がそのメモリカード用管理情報６００の停止位置６０７を参照し、その停止位置からメモリカード１２０に記憶されているＭＰＥＧ−４コンテンツデータを読み出して、ＭＰＥＧ−４デコーダ２０６により復号化させ、その復号化信号を出力させる再生を行う。このようにして、携帯端末２００も録画装置１００で視聴を停止した位置から続けて視聴を行うことができ、携帯端末２００と録画装置１００との間で同じコンテンツの連続的な再生ができる。
【００５７】
録画装置内ＨＤＤ１１０のＭＰＥＧ−２コンテンツの再生が終了すると、録画装置用管理情報４００のＣＯＮＤＩＴＩＯＮ４１７を”視聴済み”へ更新する。他方、ＭＰＥＧ−２コンテンツを最後まで再生せずに途中で停止した場合には、その停止位置が新しい停止位置４０７、最終視聴日時４０８のデータとしてＣＰＵ１０５により更新される。
【００５８】
次に、携帯端末２００においてメモリカード１２０の任意のコンテンツを削除した場合の、録画装置１００での該当コンテンツの扱い方について説明する。携帯端末２００でコンテンツを記録したメモリカード１２０を利用している際、コンテンツを携帯端末２００の操作により任意の時に削除したい場合がある。
【００５９】
一般的に、携帯端末２００に用いられるメモリカード１２０は様々な使用を目的として多種多様なデータを記録している。例えば、携帯型の音楽プレイヤとしても利用できるように音楽のディジタルデータであったり、文章等のテキストデータであったり、またはパーソナルコンピュータ用のデータを一時的に格納するなど、様々なデータが記録されており、それらを携帯端末２００の操作によりデータの更新、新しいデータの作成・保存をする場合に、有限であるメモリカード１２０の空き容量を増やす必要が出てくる可能性がある。そのために、携帯端末２００の操作によりメモリカード１２０内のコンテンツの削除を行いたい場合がある。
【００６０】
本実施の形態では、２つの異なる装置（すなわち、録画装置１００と携帯端末２００）で同じ内容のコンテンツを参照しているため、片側の装置だけで一方的にコンテンツを削除することは、２つの装置間のデータの整合性を欠くこととなり好ましくない。そこで、携帯端末２００において、メモリカード１２０内のコンテンツを削除する場合には、メモリカード用管理情報６００のＥＲＡＳＥ６０９の項に”１”を立て、その該当コンテンツデータが消去される。その後は携帯端末２００から該当コンテンツが存在する領域は空き領域として使用可能となる。しかし、メモリカード用管理情報６００はコンテンツデータ削除後も残る。
【００６１】
複製したコンテンツが削除されているメモリカード１２０を録画装置１００に挿入した場合には、以下のような動作を行う。前記のように、メモリカード１２０内のメモリカード用管理情報６００はＨＤＤ１１０内の録画装置用管理情報４００のＭＰＥＧ−４管理情報４１２へと複製される。
【００６２】
ＭＰＥＧ−４管理情報４１２への複製が行われた後に、ＥＲＡＳＥ４１６が”１”のコンンテンツはメモリカード用管理情報６００から該当コンテンツの部分を削除する。該当コンテンツの実データ、この場合にはＭＰＥＧ−４のコンテンツがメモリカード１２０には残っていないのであるから、携帯端末２００での視聴履歴が録画装置１００にフィードバックされた時点で、該当コンテンツに関わる一切の付帯情報はＨＤＤ１１０から削除されることとなる。
【００６３】
ただし、メモリカード１２０から削除されたコンテンツのＭＰＥＧ＿２の符号化信号及びＭＰＥＧ＿４の符号化信号は、ＨＤＤ１１０から削除されない。しかし、どちらか一方あるいは両方を削除するようにしてもよい。
【００６４】
なお、録画装置１００に挿入され読み出されたメモリカード１２０に対して、以前コンテンツの複製を作成したという情報が残されているにもかかわらず、メモリカード１２０が携帯端末２００でフォーマットされるなどして現在のメモリカード１２０にその該当コンテンツとメモリカード用管理情報６００が存在しない場合には、ＣＰＵ１０５はモニターへ視聴情報の共有ができない旨のメッセージ表示を行い、ＭＰＥＧ−２管理情報４０９の停止位置４０７と最終視聴日時４０８を最新の情報として動作を行うと共に、ＭＰＥＧ−４管理情報４１２は初期化する。
【００６５】
また、ＭＰＥＧ−２管理情報４０９の状態４０６とＭＰＥＧ−４管理情報４１２の状態４１３が”再生不可”になっていたものは、複製されたデータが消えたとして、”再生可”とし、録画装置１００でのＭＰＥＧ−２コンテンツの再生を可能とする。
【００６６】
次に、録画装置の他の実施の形態について説明する。図７は本発明になるディジタルデータ記録再生システムを構成する録画装置の他の実施の形態のブロック図を示す。同図中、図１と同一構成部分には同一符号を付し、その説明を省略する。この実施の形態の録画装置７００は、ＣＰＵ７０１がＲＯＭ７０２に格納されているプログラムに基づいて、メモリカード１２０へのコンテンツ複製の際に、コンテンツのセキュリティレベルによって録画装置７００のＨＤＤ１１０内のコンテンツの取り扱いを変える構成とし、また、ＴＳ（トランスポートストリーム）処理部７０３、ＩＣカード７１０に対して情報の書き込み又は読み出しを行う視聴制限解除処理部７０４を備えたことを特徴とする。ＩＣカード７１０は、コンテンツの配信が認められる特定の個人を識別させる番号等が記憶されており、視聴制限解除処理部７０４は、このＩＣカード７１０が挿入されたときに限り、視聴制限動作を解除する解除信号をＣＰＵ１７０１へ出力する。
【００６７】
図７の録画装置７００内のチューナ１０１により選局受信されるディジタル放送信号には、セキュリティレベルのデータが多重されている。例えば、地上波ディジタルテレビのデータには、一度だけ録画可能な”ＣＯＰＹ  ＯＮＣＥ”、ダビングの制限である”ＭＯＶＥ”などの録画に関する制限項目のデータが付加されており、それをＴＳ処理部７０３が検知し、その制限項目によってＣＰＵ７０１がＲＯＭ７０２から読み出したプログラムの実行を行う。
【００６８】
コンテンツが一切の複製を許しておらず、記録媒体間の移動のみが可能な場合には、メモリカード１２０へＭＰＥＧ−４コンテンツを記録した際に、録画装置７００内のコンテンツにアクセスできないような目印となるフラグをＨＤＤ１１０内のＭＰＥＧ−２管理情報４０９の状態４０６の項へ再生不可フラグを立てると共に、ＭＰＥＧ−４管理情報４１２の状態４１３の項へ複製不可フラグを立てる。再生不可フラグが立てられたＭＰＥＧ−２コンテンツは録画装置を使用しての視聴は不可能となり、複製不可フラグが立てられたＭＰＥＧ−４コンテンツは複製が不可能となる。
【００６９】
また１度の複製だけを認めているコンテンツや複製元よりも解像度や音質が劣る場合に限って１度だけ複製を認めているようなコンテンツについては、録画装置７００は、そのコンテンツのデータをＭＰＥＧ−４で符号化した符号化信号をメモリカード１２０へ記録すると共に、ＨＤＤ１１０内のＭＰＥＧ−４管理情報４１２の状態４１３の項に、複製不可フラグを立てる。
【００７０】
また、複製元よりも解像度や音質が劣る場合に、定められた回数だけ複製を認めているコンテンツの場合には、複製回数がカウントされ、規定回数に達するとＨＤＤ内ＭＰＥＧ−４管理情報４１２の状態４１３の項に複製不可フラグを立てる。また、複製に対して特に規制がないコンテンツの場合には、ＭＰＥＧ−２管理情報４０９の状態４０６の項を”再生可”、ＭＰＥＧ−４管理情報４１２の状態４１３の項を”複製可”としておく。
【００７１】
更に、特定個人向けとしてＨＤＤに記録されているコンテンツ、例えばコンテンツの配信が認められるようなＩＣカード７１０を挿入している録画装置７００のみに配信される有料コンテンツを記録した記録装置では、そのコンテンツを視聴する権利のない不特定多数の人がＨＤＤ１１０内のコンテンツデータからメモリカード１２０へ複製することは問題であるため、予め録画装置７００にその人物が使用するメモリカード１２０を特定できる暗証番号等（例えば、ＳＤカードの著作権管理システムなど）を設定しておき、その特定できる番号以外のメモリカードへは複製を許可しないような利用法も考えられる。
【００７２】
なお、本発明は以上の実施の形態に限定されるものではなく、例えば、録画装置で録画されるコンテンツデータに対して符号化する符号化方式は、ＭＰＥＧ−２とＭＰＥＧ−４の２種類の符号化方式に限られる必要はなく、携帯端末２００の能力やメモリカード１２０の容量や転送速度に応じた符号化方式を選択すればよい。また、携帯端末２００に記録される符号化信号は、低い方のレートの符号化信号に限定されるものではない。
【００７３】
また、録画装置１００、７００と携帯端末２００間においてデータを入出力する媒体としてはメモリカード１２０以外にも、ＮＩＣ１１１、２０８を通じてネットワークを介し、パケット化されたデータを入出力することも可能である。また、録画装置１００、７００や携帯端末２００が実行する動作は、ハードウェアでも可能であるし、コンピュータ用ソフトウェア（プログラム）により実行することも可能である。
【００７４】
コンピュータによりソフトウェアで実行される場合には、記載された順序で時系列に処理が行われる以外に、並列に処理が行われる場合と、個別に処理される場合とを含む。また、コンピュータプログラムは記録媒体を介してコンピュータに取り込まれてもよいし、通信ネットワークを介して取り込まれてもよい。
【図面の簡単な説明】
【００７５】
【図１】本発明システムを構成する録画装置の一実施の形態のブロック図である。
【図２】本発明システムを構成する携帯端末の一実施の形態のブロック図である。
【図３】図１中のＨＤＤのメモリマップの一例を示す図である。
【図４】図３中の録画装置用管理情報の一例の構成図である。
【図５】図１中のメモリカードのメモリマップの一例を示す図である。
【図６】図５中のメモリカード用管理情報の一例の構成図である。
【図７】本発明システムを構成する録画装置の他の実施の形態のブロック図である。
【符号の説明】
【００７６】
１００、７００  録画装置
１０１  チューナ
１０２  ＭＰＥＧ−２エンコーダ
１０３  ＭＰＥＧ−４エンコーダ
１０４  ＭＰＥＧ−２デコーダ
１０５、２０１、７０１  中央処理装置（ＣＰＵ）
１０８、２０４  映像音声再生処理ブロック
１０９、２０５  カードコントローラ
１１０  ＨＤＤ
１１１、２０８  ＮＩＣ
１１２  時計部
１１３、２０９  入力装置
１１４、２１０  リモコン受光部
１１５、２１１  操作入力処理部
１２０  メモリカード
１２１、２２０  リモコン
２００  携帯端末
２０６  ＭＰＥＧ−４デコーダ
２０７  液晶表示部
３０１、３０４、３０７、４００  録画装置用管理情報
４０２、６０２  録画日時
４０３、６０３  録画時間
４０４  録画モード
４０５、６０４  番組名
４０９  ＭＰＥＧ−２管理情報
４１０、６０５  複製日時
４１１  複製先
４１２  ＭＰＥＧ−４管理情報
５０１、５０３、６００  メモリカード用管理情報
７０３  ＴＳ処理部
７０４  視聴制限解除処理部
７１０  ＩＣカード
【図１】
2005244267.tif 000003
【図２】
2005244267.tif 000004
【図３】
2005244267.tif 000005
【図４】
2005244267.tif 000006
【図５】
2005244267.tif 000007
【図６】
2005244267.tif 000008
【図７】
2005244267.tif 000009